(57)【特許請求の範囲】
【請求項１】
便器本体下部のほぼ全周にわたってスカート部を備えた水洗便器を床に固定する構造であって、
前記スカート部内側に便器側固定部材が固着され、
この便器側固定部材と相対する位置に床側固定部材が設けられ、
これら便器側固定部材と床側固定部材とが、両部材間に狭まれて変形するとともにその変形状態を維持する軟質粘着材からなる軟質粘着材層によって固定され、
前記便器側固定部材及び床側固定部材の少なくとも一方の前記軟質粘着材層との接触面は、凹凸形状を有し、かつ床側固定部材には前記軟質接着材層が床にはみ出さないように囲み部が設けられていることで、床面に対して平行方向の力がかかっても、前記軟質接着材層の固定により柔軟性を持ちながら接続を維持することができることを特徴とする水洗便器の床固定構造。
【請求項２】
請求項１に記載の水洗便器の床固定構造において、前記便器側固定部材及び床側固定部材の少なくとも一方は、前記軟質粘着材層に埋没される突起片部を備えていることを特徴とする水洗便器の床固定構造。
【請求項３】
請求項１または請求項２に記載の水洗便器の床固定構造において、前記軟質粘着材層はポリプロピレンコンパウンドからなる軟質粘着材で形成されていることを特徴とする水洗便器の床固定構造。
【請求項４】
請求項１乃至請求項３の何れかに記載の水洗便器の床固定構造において、前記軟質粘着材層は常温硬化性の接着剤からなる軟質粘着材で形成されていることを特徴とする水洗便器の床固定構造。
【請求項５】
請求項１乃至請求項４の何れかに記載の水洗便器の床固定構造において、前記便器側固定部材及び前記床側固定部材は、水洗便器の湾曲形状に合わせた弓形平面を有することを特徴とする水洗便器の床固定構造。
【発明の詳細な説明】
【技術分野】
【０００１】
本発明は水洗便器 の床固定構造に係り、特に下部のほぼ全周にスカート部を備えた水洗便器の床固定構造に関する。
【背景技術】
【０００２】
水洗便器は、従来、図６に示す構造で床面に取り付けられている。即ち、水洗便器１００のスカート部１０１に隠れる位置の床１０２面に、固定ボルト１０３ａによって床面固定部材１０４を取り付け、この床面固定部材１０４に固定ボルト１０３ｂでスカート部１０１を繋ぐことで床面１０２に固定している。
【０００３】
上記床面固定部材１０４のＡ矢視図を図７（ａ）に、床面固定部材１０４の側面図を同図（ｂ）に示す。床面固定部材１０４は、２本の固定ボルト１０３ａ、１０３ａによって床１０２面に固定され、また、固定ボルト１０３ｂによって水洗便器１００のスカート部１０１と床面固定部材１０４を繋ぐことで、床面１０２に固定している。
【０００４】
上記の構成による固定構造によると、固定ボルト１０３ｂが水洗便器１００のスカート部１０１外面に露出し、固定ボルト１０３ｂの頭を隠すために樹脂性のキャップを通常かぶせる構造を取るが、陶器面に異材質の部材がセットされることとにより意匠性が損なわれ、またキャップの凹凸により清掃性が損なわれるという課題があった。
【０００５】
そこで、特許文献１ではいくつかの固定構造が提案されている。即ち、便器側メンバと床側メンバをマグネットで固着する。スナップピンで嵌合させる。両面（粘着）テープ、または接着剤で固定する。平面ファスナで結合させる。或いは上記と併用して、厚み方向に柔軟に収縮可能な軟質合成樹脂等よりなるシートを介在させる。
【０００６】
【特許文献１】特開２００５−４８５８４号公報
【発明の開示】
【発明が解決しようとする課題】
【０００７】
特許文献１に挙げられた各固定構造では、取り付け時にはある程度の融通性はあるものの、床面取り付け後は便器に作用する地震や長期の使用による繰り返し振動を十分に吸収することができない。
【課題を解決するための手段】
【０００８】
上記課題を解決するため本発明は、便器本体下部のほぼ全周にわたってスカート部を備えた水洗便器を床に固定する構造であって、前記スカート部内側に便器側固定部材が固着され、この便器側固定部材と相対する位置に床側固定部材が設けられ、これら便器側固定部材と床側固定部材とが、両部材間に狭まれて変形するとともにその変形状態を維持する軟質粘着材からなる軟質粘着材層によって固定され、前記便器側固定部材及び床側固定部材の少なくとも一方の前記軟質粘着材層との接触面は、凹凸形状を有し、かつ床側固定部材には前記軟質接着材層が床にはみ出さないように囲み部が設けられていることで、床面に対して平行方向の力がかかっても、前記軟質接着材層の固定により柔軟性を持ちながら接続を維持することができる構成とした。
斯かる構成とすることで、現場における水洗便器の据え付けが簡単になり、且つ据え付け後にずれるなどの不具合の発生もない。
【００１０】
また、前記便器側固定部材及び床側固定部材の少なくとも一方は、前記軟質粘着材層に埋没される突起片部を備えた構成としても、更に固定強度が向上する。
【００１１】
前記軟質粘着材層としては、例えばポリプロピレンコンパウンド、常温硬化性の接着剤などが好適である。更に、前記便器側固定部材及び前記床側固定部材は、水洗便器の湾曲形状に合わせた弓形平面を有する構成とすれば、接着面積が大きくなって固定強度が向上する。
【発明の効果】
【００１２】
本発明に係る水洗便器の床固定構造によれば、便器側固定部材と床側固定部材とが、軟質粘着材層を介して粘着・固定されているため、床面に対して、上下方向、平行方向の力がかかった場合でも、柔軟性を持って互いの接続を維持することができる。したがって、水洗便器本体に負荷がかかる心配がない。
【発明を実施するための最良の形態】
【００１３】
以下に本発明の好適な実施例を添付図面に基づいて説明する。図１は、本発明に係る水洗便器の床固定構造の一例を示す側面断面図、図２（ａ）は図１の床固定構造設置前の部分断面図、（ｂ）は図１の床固定構造設置後の部分断面図である。
【００１４】
水洗便器１は、その外周がスカート部２によって覆われている。スカート部２の内側には、スカート支持壁３を設けてボウル面４側から与えられる負荷に耐える構造としている。
【００１５】
スカート支持壁３には、本発明に係る便器側固定部材５が、２本の固定ボルト６、６によって固定されている。２本の固定ボルト６は裏側から締め付けを行う必要のない例えばターンナットやウエルナットで固定される。
【００１６】
便器側固定部材５は、軟質粘着材層７を介して、床面８に設置された床側固定部材９に固定ボルト１０によって固定されている。便器側固定部材５と床側固定部材９とを接続するには、図２（ａ）に示すように、軟質粘着材ａ１を床側固定部材９上に載置する。このとき、軟質粘着材ａ１が押し潰された時に位置ズレを生じないよう、また軟質粘着剤ａ１が床８にはみ出さないないように、床側固定部材９上部には囲み９ａを設けておくことが好ましい。
【００１７】
本発明で使用する軟質粘着材ａ１は、変形して便器側固定部材５と床側固定部材９との間隙を埋め、粘着固定し、その変形した形体を長期間保持できるものであればどのようなものでも使用が可能である。
【００１８】
このような軟質粘着材ａ１の例としては、プラスチック粘土、プラスチックコンパウンド等を挙げることができるが、中でもプラスチックコンパウンド、特にポリプロピレンコンパウンドが好ましい。ポリプロピレンコンパウンドは、合成ゴム、無機充填材、その他の材料をポリプロピレン樹脂に練り込んだものであり市販されている。ポリプロピレンコンパウンドを軟質粘着材ａ１として使用すれば、圧力によって自由に変形し、しかも、収縮や劣化することなく、変形後の形体を保持することが容易である。
【００１９】
図２(ｂ)は、水洗便器１を床面８に向けて降下させ、便器側固定部材５と床側固定部材９とを接続した床固定構造を示し、便器側固定部材５と床側固定部材９とは、軟質粘着材ａ１によって形成された軟質粘着材層７を介して粘着・固定されているため、床面８に対して、上下方向、平行方向の力がかかった場合でも、柔軟性を持って互いの接続を維持することができる。したがって、水洗便器１本体に負荷がかかる心配がない。
【００２０】
図３は、本発明の水洗便器の床固定構造の他の一例を示す側面断面図である。同図（ａ）は、床固定する前の状態を示す部分断面図である。この例では、床側固定部材９の上面９ｂを凹凸形状としている。上面９ｂを凹凸形状とすることにより、上面９ｂに載せられる軟質粘着材ａ１が押しつぶされた際に、上面９ｂと軟質粘着材ａ１との接触面積が広がって密着性が高まり、特に床面８に対して平行方向のズレを抑制することができる利点がある。
【００２１】
同図（ｂ）に、上面９ｂの凹凸形状の拡大図を示す。凹凸形状の種類については特に限定はなく、例えば突起状群、格子状、その他の模様形状群を挙げることができる。
【００２２】
同図（ｃ）は、床固定した後の部分断面図である。この例では、床側固定部材９の上面９ｂに凹凸形状を施したが、反対に、便器側固定部材５の粘着材層９との接触面に、同様の凹凸形状を刻んでもよい。さらに、上記接触面と上面９ｂとの両方への凹凸形成が最も推奨される。
【００２３】
尚、本図に示す固定ボルト１０の位置は、図２で示したものと異なって床側固定部材９の端部近辺に設けられているが、このような、固定ボルト１０と床側固定部材９との相対的な位置に限定はなく、取り付け場所の構造や取り付ける水洗便器１自体の構造を考慮して適宜選択することができる。
【００２４】
図４は、本発明の水洗便器の床固定構造の他の例を示す側面断面図である。同図（ａ）は、床固定する前の状態を示す部分断面図である。この例では、床側固定部材９の囲み９ａによって形成される空間を固定材料収容部として使用することを特徴とする。固定材料収容部には、常温硬化性の接着剤ａ２または粘着剤ａ２を収容する。このような接着剤や粘着剤の例としては、一液硬化型、二液硬化型のポリウレタン系、エポキシ系、合成ゴム系接着剤、粘着剤を挙げることができる。常温硬化タイプとしては、湿気硬化、触媒硬化、エネルギー線硬化等、軟質の軟質粘着材層７を形成することができるものであれば特に制限はなく、水洗便器１の設置場所を考慮して適宜選択することができる。
【００２５】
本例の、もう一つの特徴は、便器側固定部材５の下部に突起片部５ａを突設することである。同図（ｂ）の、床固定後の部分断面図に示すように、突起片部５ａは、接着剤ａ２または粘着剤ａ２によって形成される粘着剤層７に埋没させて使用する。突起片部５ａを埋没させた後に接着剤ａ２または粘着剤ａ２を硬化させれば、便器側固定部材５と床側固定部材９との密着性が高まるため好ましい。
【００２６】
尚、図４においては、接着剤ａ２または粘着剤ａ２によって形成された粘着剤層７に突起片部５ａを埋没させた例を示したが、突起片部５ａは、上記ポリプロピレンコンパウンド等の軟質粘着材で形成される粘着剤層７に埋設することも、突起片部５ａの先端を尖らせることによって可能である。
【００２７】
図５は、便器側固定部材と床側固定部材の形状の一例を示す平面図である。従来例は、図７（ａ）に示したように床面固定部材１０４が、２本の固定ボルト１０３ａ、１０３ａによって床面に固定されていた。これに対して、本例では、便器側固定部材５と床側固定部材９の両者を、水洗便器１のスカート部２湾曲形状に合わせた弓形平面としている。このような弓形平面とすることにより、便器側固定部材５と床側固定部材９相互の接触面積を広く確保することができるため、本発明の床固定構造の安定性を高めることができる。
【図面の簡単な説明】
【００２８】
【図１】本発明に係る水洗便器の床固定構造の一例を示す側面断面図
【図２】（ａ）は図１の床固定構造設置前の部分断面図、（ｂ）は図１の床固定構造の部分断面図
【図３】（ａ）は床固定構造設置前の部分断面図、（ｂ）は床固定構造の拡大部分断面図、（ｃ）は床固定構造設置後の部分断面図
【図４】本発明に係る水洗便器の床固定構造の他の例を示す側面断面図であって、（ａ）は床固定構造設置前の部分断面図、（ｂ）は床固定構造の部分断面図
【図５】便器側固定部材と床側固定部材の形状の一例を示す平面図
【図６】従来の水洗便器の床固定構造の一例を示す側面断面図
【図７】（ａ）は図６のＡ矢視図、（ｂ）は（ａ）の側面図
【符号の説明】
【００２９】
１…水洗便器、２…スカート部、３…スカート支持壁、４…ボウル面、５…便器側固定部材、５ａ…突起片部、６…固定ボルト、７…軟質粘着材層、８…床面、９…床側固定部材、９ａ…囲み、９ｂ…上面、１０…固定ボルト、ａ１…軟質粘着材、ａ２…接着剤または粘着剤、１００…水洗便器、１０１…スカート部、１０２…床、１０３ａ、１０３ｂ…固定ボルト、１０４…床面固定部材。
【図１】
0004720367.tif 000002
【図２ａ】
0004720367.tif 000003
【図２ｂ】
0004720367.tif 000004
【図３ａ】
0004720367.tif 000005
【図３ｂ】
0004720367.tif 000006
【図３ｃ】
0004720367.tif 000007
【図４ａ】
0004720367.tif 000008
【図４ｂ】
0004720367.tif 000009
【図５】
0004720367.tif 000010
【図６】
0004720367.tif 000011
【図７ａ】
0004720367.tif 000012
【図７ｂ】
0004720367.tif 000013